(57)【特許請求の範囲】
【請求項１】
座体と背もたれ、及び、これらを支持する台枠を備えており、
前記台枠は、鉛直姿勢の左右脚板で水平姿勢のベース板を支持した基本構造であり、  前記ベース板の後面には、当該ベース板の左右全長にわたって延びる略鉛直姿勢の後ろ枠板が配置されており、
前記後ろ枠板は前記ベース板又は脚板若しくは両方に固定されていると共に、前記後ろ枠板には、前記背もたれに作用した後ろ向きの荷重を支持する上向きの起立部が設けられている一方、
前記座体は、前記ベース板に上から重なる座板にクッションを張った構造で、前記背もたれは、前記起立部の前面に重なる背板の前面にクッションを張った構造であり、
前記座体を前記ベース板の上面に取付けてから背もたれをベース板に取り付けると、背もたれがストッパーになって座体はベース板に離脱不能に保持される構成であって、
前記座板とベース板とに、前記背もたれを取付けていない状態で前記座板をベース板に重ねて手前にずらすと互いに嵌まり合って座体を設定位置で上向き動及び前進動不能に保持する第１係合手段が設けられている一方、
前記後ろ枠板の起立部は、その左右巾は背板の左右巾よりも小さくて高さは背板の高さよりも低くなっていて、前記背板に、前記起立部が嵌まり込む凹所を形成しており、
更に、前記背板の凹所と前記後ろ枠板の起立部とには、背板を起立部の前面に重ねて下向き動させると互いに嵌まり合って背板を前向き動不能に保持する第２係合手段が設けられており、従って、前記起立部の上端は前記第２係合手段よりも高くなっている、
椅子。
【請求項２】
複数の座体及び背もたれを備えており、隣り合った座体の間に、荷物置き部又は肘当てとして使用できる仕切り部がベース板から突出した状態に形成されており、前記仕切り部と脚体、又は、隣り合った仕切り部により、前記座体の左右位置が規制されている、
請求項１に記載した椅子。
【請求項３】
前記背もたれの下端は下面板で構成されている一方、前記座板の後部には、前記背もたれが上から載る後ろ向き延長部と、前記背もたれの下面板が後ろから当接又は近接する後面板とが設けられている、
請求項１又は２に記載した椅子。
【発明の詳細な説明】
【技術分野】
【０００１】
本願発明は、例えば各種施設のロビーや待合室等に設置されることが多いソファタイプ（或いはベンチタイプ）の椅子に関し、より詳しくは、組み立てが容易なソファタイプの椅子に関するものである。
【背景技術】
【０００２】
ソファタイプの椅子において、本願出願人の出願である特許文献１には、左右の脚部材で板状の座フレームを支持して、座体及び背もたれを座フレームで支持してなる構成において、背もたれを取り付けていない状態で座体を設定位置よりも後ろに位置させてから、座フレームに重ねて手前にずらすことで座体を上向き動不能に保持し、次いで、背もたれを座フレームに取り付けて、背もたれによって座体を後ろ向き移動不能に保持する構成が開示されている。
【０００３】
特許文献１では、背もたれの下端面から左右複数本の棒体を下向きに突設している一方、座フレームには、棒体が嵌まる左右複数の筒体を設けており、筒体で棒体を保持することで、背もたれを倒れ不能に保持している。
【先行技術文献】
【特許文献】
【０００４】
【特許文献１】特開平１０−１７９３２１号公報
【発明の概要】
【発明が解決しようとする課題】
【０００５】
特許文献１のものは、組み立ての容易性に優れているが、本願発明者が研究したところ、まだ改良の余地が見られた。例えば、特許文献１では、背もたれにもたれ掛かったときのモーメント（荷重）が棒体及び筒体に集中的に作用するため、背もたれの支持強度に限度があった。
【０００６】
また、特許文献１では、複数の座体及び背もたれが僅かの間隔を介して配置されているため、座体を取付けていない状態で、座フレームの上面は、隣り合った座の間に広がるベタの平面になっている一方、座体は、その下面に設けたフック状の係止片を座フレームに設けた穴に嵌め込むことにより、座フレームに対して上向き動不能に保持されているが、座体を座フレームに取り付けるに際して、係止片及び穴は座体に隠れて見えないため、係止片と穴との位置合わせが面倒であるという問題も見つかった。背もたれの取り付けに際しても、棒体と筒体との位置合わせが面倒であった。
【０００７】
本願発明はこのような現状に鑑み成されたものであり、座体の後退動を背もたれで阻止するという特許文献１の思想は踏襲しつつ、組み立ての容易性や強度のアップ等を図ることを目的としている。
【課題を解決するための手段】
【０００８】
本願発明の椅子は、
「座体と背もたれ、及び、これらを支持する台枠を備えており、
前記台枠は、鉛直姿勢の左右脚板で水平姿勢のベース板を支持した基本構造であり、
前記ベース板の後面には、当該ベース板の左右全長にわたって延びる略鉛直姿勢の後ろ枠板が配置されており、
前記後ろ枠板は前記ベース板又は脚板若しくは両方に固定されていると共に、前記後ろ枠板には、前記背もたれに作用した後ろ向きの荷重を支持する上向きの起立部が設けられている一方、
前記座体は、前記ベース板に上から重なる座板にクッションを張った構造で、前記背もたれは、前記起立部の前面に重なる背板の前面にクッションを張った構造であり、
前記座体を前記ベース板の上面に取付けてから背もたれをベース板に取り付けると、背もたれがストッパーになって座体はベース板に離脱不能に保持される」
という基本構成である。
【０００９】
そして、請求項１では、上記基本構成において、
「前記座板とベース板とに、前記背もたれを取付けていない状態で前記座板をベース板に重ねて手前にずらすと互いに嵌まり合って座体を設定位置で上向き動及び前進動不能に保持する第１係合手段が設けられている一方、
前記後ろ枠板の起立部は、その左右巾は背板の左右巾よりも小さくて高さは背板の高さよりも低くなっていて、前記背板に、前記起立部が嵌まり込む凹所を形成しており、
更に、前記背板の凹所と前記後ろ枠板の起立部とには、背板を起立部の前面に重ねて下向き動させると互いに嵌まり合って背板を前向き動不能に保持する第２係合手段が設けられており、従って、前記起立部の上端は前記第２係合手段よりも高くなっている」
という構成になっている。
【００１０】
本願発明は様々に展開できる。その例として請求項２では、請求項１において、
「複数の座体及び背もたれを備えており、隣り合った座体の間に、荷物置き部又は肘当てとして使用できる仕切り部がベース板から突出した状態に形成されており、前記仕切り部と脚体、又は、隣り合った仕切り部により、前記座体の左右位置が規制されている」
という構成になっている。
【００１１】
また、請求項３の発明では、請求項１又は２において、
「前記背もたれの下端は下面板で構成されている一方、前記座板の後部には、前記背もたれが上から載る後ろ向き延長部と、前記背もたれの下面板が後ろから当接又は近接する後面板とが設けられている」
という構成になっている。
【発明の効果】
【００１２】
本願発明では、背もたれは後ろ枠板の起立部で後ろから支持されているため、使用者が背もたれにもたれ掛かったときの荷重は起立部で的確に支持される。このため、背もたれの支持強度を格段に向上できる。しかも、起立部を形成した後ろ枠板は鉛直姿勢でベース板と同じ左右長さであるため、台枠は、左右方向の力やねじりに対して高い抵抗を発揮する堅牢な構造になっており、このため、椅子全体としても頑丈な構造になっている。
【００１３】
また、背板の凹所が起立部に嵌まっているため、背板を起立部に取り付けるに際して、起立部自体がガイドになって、第２係合手段の嵌まり合いをスムースに行える。これにより、椅子の組み立て性も向上できる。
【００１４】
請求項２の構成を採用すると、座体をベース板に取り付けるに際して、仕切り部が座体の左右位置を規制するガイド体として機能するため、第１係合手段の嵌め合わせを簡単に行える。従って、椅子の組み立てがより一層スムースになる。
【００１５】
請求項３の構成を採用すると、座板の後ろ向き延長部に背もたれが載っているため、座体と背もたれとの一体性が高まって、座体のズレを的確に阻止できる。つまり、使用者が背もたれにもたれ掛かると、座板の後ろ向き延長部が背もたれで下向きに押されるため、座板の安定性が非常に高くなるのであり、このため、簡単に組み立てできる椅子でありながら、座体のガタやずれを無くして高い品質を確保できるのである。
【００１６】
また、座体の後面板の後ろに背もたれの下面板が位置しているため、背もたれの倒れは、背もたれの下面板に座体の後面板が当たることで阻止される。このため、背もたれの後ろ向き倒れを確実に阻止して、高い品質を確保できる。座体の後ろ向き移動も、背もたれによって確実に阻止される。従って、座体の位置安定性にも優れている。
【図面の簡単な説明】
【００１７】
【図１】椅子の外観斜視図であり、（Ａ）は手前から見たもの、（Ｂ）は後ろから見たもの、（Ｃ）は下方から見たものである。
【図２】（Ａ）は手前から見た分離斜視図、（Ｂ）は後ろから見た分離斜視図である。
【図３】（Ａ）は座板の取り付け状態を示す斜視図、（Ｂ）は座体の取付け手順を示す分離斜視図である。
【図４】背もたれの取付け手順を示す分離斜視図である。
【図５】係合部の箇所での縦断側面図である。
【発明を実施するための形態】
【００１８】
(1).基本構造
次に、本願発明の実施形態を図面に基づいて説明する。本実施形態は２人掛けの椅子に適用している。従って、椅子は、２組の座体１と背もたれ２とを備えており、座体１と背もたれ２は台枠３で支持されている。
【００１９】
本実施形態の椅子は木製であり、図２から理解できるように、台枠３は、鉛直姿勢に立設した左右一対の脚板４で水平姿勢のベース板５を支持した構造を基本にしており、ベース板５の背面には、当該ベース板５と同じ左右長さで鉛直姿勢の後ろ枠板６が重なっている。脚板４の上端面は、座面よりは高くて背もたれ２よりは低くなっている。従って、使用者は脚板４に肘を当てることができる。
【００２０】
ベース板５には、その外周から下方に突出した前壁板７と、左右側壁板８と、後ろ壁板９とが固定されている。このため、ベース板５と各壁板７，８，９とで下向き開口の箱体が構成されている。そして、左右側壁板８と脚板４とは、複数本のダボ１０で固定されている（ビスで固定してもよい。）。脚板４の内側面には、側壁板８を支持する前後長手のバー部材１１が固定されており、側壁板８には、バー部材１１が嵌まる下向き開口の切欠き凹所１２を形成している。
【００２１】
後ろ枠板６は、ベース板５に設けた後ろ壁板９の後面に、ダボ又はビスで固定されている。従って、後ろ枠板６は、後ろ壁板９を介してベース板５に固定されている。なお、後ろ枠板６は、左右の脚板４に固定したり、ベース板５と脚板４との両方に固定したりしてもよい。
【００２２】
図１（Ｃ）に示すように、ベース板５の下面には、左右横長で鉛直姿勢の第１補強板１３と、前後長手で鉛直姿勢の第２補強板１４とが固定されている。第１補強板１３は左右の側壁板８にも固定されており、第２補強板１４は、第１補強板１３に下方から嵌合している。第２補強板１４は、前壁板７と後ろ壁板９とにも固定されている。これら補強板１３，１４の存在により、ベース板５を中核にした枠体は堅牢な構造になっている。
【００２３】
側壁板８と後ろ壁板９は鉛直姿勢であるが、前壁板７は、下に行くに従って後ろに下がるように前傾しており、その前面には、座体１に対応した枠部クッション１５を張っている。枠部クッション１５は、座体１を取付けた状態において座体１の前縁部と略面一に連続するように設けられており、枠部クッション１５により、使用者の脹脛に対する当たりを柔らかくするようになっている。
【００２４】
また、左右の座体１の間には、例えば２０ｃｍ前後の間隔が空いており、この間隔の箇所に、板材よりなる仕切り部１６を設けている。従って、仕切り部１６にカバンや紙袋等の荷物を置くことができる。仕切り部１６は、座面よりも高くすることで肘当てに使用することも可能である。仕切り部１６にもクッションを張ると見栄えがよい。
【００２５】
(2).座体及び背もたれ
次に、座体１及び背もたれ２を説明する。図５に明示するように、座体１は、木製の座板１９の上面に座クッション２０を張った基本構造であり、座板１９は、背もたれ２の下方に入り込む後ろ向き延長部１９ａを有している。また、座体１は、座クッション２０の形状を保持するため、左右側板２１と後面板２２とを備えている。例えば図３に示すように、座板１９とベース板５とには前後２つの通気穴２３を設けている（１つ又は３つ以上でもよい。）。
【００２６】
そして、図３，５に明示するように、座板１９のうち前寄り部位の左右２か所に、前後長手の第１係合穴２４を空けている一方、ベース板５の上面には、第１係合穴２５に下方から嵌まって、座板１９のうち第１係合穴２５の後端縁を上から押さえる側面視後ろ向き鉤状の第１係合フック２５を固定している。第１係合フック２５は、樹脂製とすることも可能であるが、金属板製が好ましい。
【００２７】
第１係合穴２４と第１係合フック２５は請求項に記載した第１係合手段の例であり、まず、座板１９を設定位置よりも後ろにずらした状態でベース板５に重ねることで、第１係合フック２５を第１係合穴２４に嵌め入れ、それから座体１を手前にずらすことにより、第１係合フック２５を第１係合穴２４の後端縁に係合させることができる。これにより、座体１は上向き動不能及び前向き動不能に保持される。
【００２８】
そして、座体１は、脚板４と仕切り部１６とで左右位置が規制されているため、座体１は、脚板４と仕切り部１６の間に上から嵌め込んで手前にずらすだけで、第１係合フック２５を第１係合穴２４に正確に嵌め込むことができる。従って、座体１の取付けをワンタッチ的にごく簡単に行うことができる。
【００２９】
図５に示すように、背もたれ２は、背板２６の前面に背クッション２７を張った基本構造であり、背板２６の左右側部には、形状を保持するための側板２８を固定し、かつ、下端には、座板１９の後ろ向き延長部１９ａに当接又は近接する下面板２９を固定している。
【００３０】
背もたれ２の背板２６は、後ろ枠板６に上向き突設した四角形の起立部３０の前面に重なるが、起立部３０は、背板２６よりも左右横幅及び高さとも小さくなっている。そこで、背板２６に、起立部３０を囲う下向き開口のコ字形の補助板３１を固定することにより、背板２６に（或いは背もたれ２の背面に）、起立部３０が嵌まる下向き開口の凹所３２を形成している。凹所３２と起立部３０とのクリアランスは僅かであり、このため、背もたれ２は、起立部３０のガイド作用で下向き動させることができる。起立部３０はベース板５の上面から立ち上がっている。
【００３１】
実施形態では、起立部３０の後面と補助板３１の後面とはほぼ同じ面になっている。背クッション２７は表皮材３３で覆われているが、表皮材３３は、補助板３１及び左右側板２８も覆っている。
【００３２】
そして、例えば図４，５に示すように、背板２６のうち凹所３２の内部に位置した左右２か所に、上下長手の第２係合穴３４を空けている一方、起立部３０の上部前面には、第２係合穴３４に後ろから嵌まって、背板２６のうち第２係合穴３４の上端縁を手前から押さえる側面視上向き鉤状の第２係合フック３５を固定している。
【００３３】
第２係合穴３４と第２係合フック３５とは請求項に記載した第２係合手段の一例であり、背板２６を起立部３０の前面に重ねてから下方にずらす一連の操作により、第２係合穴３４に対する第２係合フック３５の嵌まり込込みと、背板２６に対する第２係合フック３５の係合が行われる。これにより、背もたれ２は前向き動不能の状態で所定の位置にセットされる。
【００３４】
そして、背もたれ２は凹所３２の内周と起立部３０の外周とによって左右位置が規制されているため、背もたれ２を単に下方にずらすだけで、第２係合穴３４に対する第２係合フック３５の係合が正確に行われる。なお、図４では、右側の座席では背板２６を表示しており、起立部３０は後ろに隠れている。
【００３５】
以上のとおり、背もたれ２は起立部３０で後ろから支持されており、しかも、起立部３０は後ろ枠板６に形成されているため、椅子の使用者が背もたれ２にもたれ掛かることによって後ろ向きに作用する背もたれ荷重が大きくても、これを的確に支持できる。すなわち、背もたれ２の荷重支持強度が高い。しかも、起立部３０を有する後ろ枠板６はベース板５に固定されているため、椅子全体としても非常に堅牢な構造になっている。
【００３６】
また、使用者が背もたれ２にもたれ掛かると、座板１９の後ろ向き延長部１９ａが背もたれ２で下向きに押されるため、座板１９の安定性が非常に高くなる。このため、簡単に組み立てられる椅子でありながら、座体１のガタやずれは発生せず、ビス止めしたのと同様の高い品質を確保できる。
【００３７】
また、座体１の後面板２２の後ろに背もたれ２の下面板２９が位置しているため、背もたれ２の倒れは、背もたれ２の下面板２９に座体１の後面板２２が当たることでも阻止される。このため、背もたれ２の後ろ向き倒れを確実に阻止して、高い品質を確保できる。座体１の後ろ向きのずれも防止できる。背もたれ２の下面板２９に座体１の後面板２２が当たるに際して、当たりの柔らかさを確保するのが好ましい。この点について実施形態では、例えば図２（Ｂ）に示すように、緩衝手段の一例として、座体１の後面板２２に弾性シート３６を設けている。
【００３８】
例えば図４に示すように、背板２６の左右中間部には下向き突部２６ａを設けて、ベース板５の後端には、下向き突部２６ａが嵌まる切欠き５ａを形成している。この構成によっても、背もたれ２の後傾動が的確に阻止される。
【００３９】
上記の実施形態は座板１９及び背板２６に係合フック２５，３５を設けているが、係合穴２４，３４と係合フック２５，３５との配置関係を逆にしてもよい。また、係合手段としては、互いに噛み合う係合爪のセットなど、各種の構造を採用できる。
【００４０】
更に、本願発明は１人掛けの椅子や３人以上が掛ける椅子にも適用できる。例えば４人掛け以上のような多連式の椅子の場合、中間脚を設けてもよい。
【産業上の利用可能性】
【００４１】
本願発明は、実際に椅子に適用して具体化できる。従って、産業上利用できる。
【符号の説明】
【００４２】
１  座体
２  背もたれ
３  台枠
４  脚板
５  ベース板
６  後ろ枠板
１９  座板
１９ａ  後ろ向き延長部
２０  座クッション
２４  第１係合手段を構成する第１第１係合穴
２５  第１係合手段を構成する第１係合フック
２６  背板
２７  背クッション
２９  下面板
３０  起立部
３１  補助板
３２  凹所
３４  第２係合手段を構成する第２係合穴
３５  第２係合手段を構成する第２係合フック
【図１】
0006490378.tif 000002
【図２】
0006490378.tif 000003
【図３】
0006490378.tif 000004
【図４】
0006490378.tif 000005
【図５】
0006490378.tif 000006